(57)【要約】　　　（修正有）【課題】どの形状の瓦や外壁でも取付でき、取付作業を簡易かつ迅速にできる取付機構を提供する。【解決手段】平滑な瓦下地材Ａを屋根面へ合决りして接合連結し、その瓦下地材へ瓦掛け桟１６を間隔を置いて取り付け、瓦掛け桟へ瓦を取り付けるようにすることで、どの形状の瓦でも使用でき汎用性のあるものとなり、通気性に富み、不腐蝕性である。【選択図】　　図４
0003098582.tif 000002
【実用新案登録請求の範囲】
【請求項１】
上部に設けた切込溝に桟木を挿嵌してなる発泡スチロール製の瓦下地材の决りに排水用の溝を設け、該瓦下地材を屋根面へ合决りして接合連結し、さらにその瓦下地材へ瓦引掛け桟を適宜間隔を置いて取付したのち、該瓦引掛け桟へ瓦を順次取付することを特徴とする瓦新下地材を使用した取付機構。
【請求項２】
発泡スチロール製の外壁下地材の上部に設けた切欠溝に桟木の上部が上記下地材の面より突出するように形成し、かつ外壁下地材の决りに溝を設けたのち、該外壁下地材を柱へ固着した構造用合板へ順次合决りして接合連結し、さらにその上へ外壁材を取付することを特徴とする外壁新下地材を使用した取付機構。
【請求項３】
発泡スチロール製の瓦・外壁下地材に炭の粉末を混入してなる請求項１、２に記載の瓦・外壁新下地材を使用した取付機構。
【請求項４】
瓦・外壁下地材の上部に楕円形の切欠溝を設け、該切欠溝へ両側に膨部を形成してなる楕円形の桟木を挿嵌してなる請求項１、２に記載の瓦・外壁新下地材を使用した取付機構。
【考案の詳細な説明】
【０００１】
【考案の属する技術分野】
本考案は瓦・外壁新下地材を使用した取付機構に関し、詳しくはどの形状の瓦でも取付できるよう汎用性ある下地材にして、かつ瓦・外壁の取付作業を簡易且迅速にできるようにした瓦・外壁新下地材を使用した取付機構に関するものである。
【０００２】
【従来の技術】
図１に示すように、従来の発泡スチロール製の瓦下地材１は全体的には波形に形成されていて、該瓦下地材１の山部３に長手方向に設けた窪部２には桟木４が挿嵌してある構造に成っている。
【０００３】
したがって、瓦葺するときには瓦下地材１の山部３の両側の谷部７、７に桟瓦５、５を載せ、該桟瓦５、５間の瓦下地材１の山部３に湾曲瓦６を載せて固定させていたのである。
【０００４】
また、図２に示すように瓦１３を波形に形成した発泡スチロール製の瓦下地材１ａの形状より稍大きくした同一形状に形成して、瓦１３の桟瓦部５ａ、５ａを谷部７ａ、７ａへ載せながら湾曲瓦部６ａを山部３ａへ嵌着して、瓦１３を瓦下地材１ａへ固定するという瓦下地材が知られている。
【０００５】
【考案が解決しようとする課題】
上記従来の瓦下地材の構造では、瓦下地材の構造に合わせてその都度瓦を製造しなければならない汎用性に缺ける難点があった。また、瓦の取付けに煩瑣な手数と労力を要し、能率的に取付作業を行うことができない課題があった。
【０００６】
【課題を解決するための手段】
本考案は上記課題を解決するためになされたものであって、その要旨とするところは、上部に設けた切込溝に桟木を挿嵌してなる発泡スチロール製の瓦下地材の决りに排水用の溝を設け、該瓦下地材を屋根面へ合决りして接合連結し、さらにその瓦下地材へ瓦引掛け桟を適宜間隔を置いて取付したのち、該瓦引掛け桟へ瓦を順次取付することを特徴とする瓦新下地材を使用した取付機構、及び発泡スチロール製の外壁下地材の上部に設けた切欠溝に桟木の上部が上記下地材の面より突出するように形成し、かつ外壁下地材の决りに溝を設けたのち、該外壁下地材を柱へ固着した構造用合板へ順次合决りして接合連結し、さらにその上へ外壁材を取付することを特徴とする外壁新下地材を使用した取付機構、並びに発泡スチロール製の瓦・外壁下地材に炭の粉末を混入してなる請求項１、２に記載の瓦・外壁新下地材を使用した取付機構、並びに瓦・外壁下地材の上部に楕円形の切欠溝を設け、該切欠溝へ両側に膨部を形成してなる楕円形の桟木を挿嵌してなる請求項１、２に記載の瓦・外壁新下地材を使用した取付機構に関するものである。
【０００７】
【考案の実施の形態】
本考案の瓦・外壁新下地材の実施例を別紙図面を参照しながら詳細に説明する。
【０００８】
（実施例１）
図３に於て、８は従来の発泡スチロール製の床下地材である。この床下地材８は上部９と下部１０とが一体に形成されるものであるが、上部９の２辺が僅かながら下部１０より突出していて、下部１０に縁部１４、１４を設けられている。所謂决（しゃく）りが形成される。１１、１１は上部９に適宜間隔を置いて設けられている切欠溝であって、該切欠溝１１、１１に桟木１２、１２が挿嵌されている。
【０００９】
図４、図５は本考案の発泡スチロール製の瓦下地材Ａの斜視図である。上部９ａと一体に形成されている下部１０ａの２辺の縁部１４ａに連通する溝１５を設ける。図中１１ａ、１１ａは上部９ａに適宜間隔を置いて設けた切欠溝であって、該切欠溝１１ａ、１１ａへ木材またはプラスチック製の桟木１２ａ、１２ａが挿嵌されている。なお図面上に於ては、切欠溝１１ａ、１１ａが上部９ａの半分位の深さまでしか設けられていないが、上部９ａの底部まで切欠溝１１ａ、１１ａとしても勿論差支えない。この場合桟木１２ａ、１２ａは上部９ａの底部まで達する（図示せず）。
【００１０】
図６に示すように、上記瓦下地材Ａの下部１０ａの縁部１４へ別の瓦下地材の决りを張り合わせて、瓦下地材を順次合决り（あいじゃくり）接合連結していく。このようにして、屋根面へ瓦下地材Ａを順次合决りさせて瓦下地材の取付けが完了したならば、瓦下地材上へ適宜間隔を置いて瓦引掛け桟１６を釘打ちして取付けする。
【００１１】
次いで、瓦引掛け桟１６上へ瓦１７を順次載置して釘にて取付けまたは針金にて緊締固着させて屋根工事が終了する。
【００１２】
（実施例２）
図７ｂは実施例１の瓦下地材Ａの切欠溝１１ａ、１１ａを楕円形に設けて、該切欠溝１１ａ、１１ａへ膨部１８、１８を設けた楕円形の桟木１２ａ、１２ａを挿嵌した状態を示すものである。そして外壁下地材として使用する場合には、木材又はプラスチック製の桟木１２ｂの上部が外壁下地材の上部９ｂの面より突出するように形成する（図７ｃ）。
【００１３】
図８に於て、実施例２の外壁下地材Ｂを詳しく述べる。
図８は発泡スチロール製の外壁下地材Ｂを上部９ｂと下部１０ｂとに分離した状態を示す斜視図である。所謂上部９ｂの切欠溝１１ｂ、１１ｂへ木材又はプラスチック製の桟木１２ｂ、１２ｂを挿嵌する。このとき桟木１２ｂ、１２ｂの上部が上部９ｂの面より突出させてある。また、下部１０ｂの２辺の决りに溝部１５が設られている。
上記上部９ｂと下部１０ｂとが一体成型されて発泡スチロール製の外壁下地材が形成される。このとき、合决りにて目地が無くなると同時に外壁工事後溝部１５に入る雨水が外部へ排出されるのである。
【００１４】
図９に於て、柱２０ａに構造用合板２１を合致させたのち、該構造用合板２１へ上記外壁下地材Ｂを順次合决りさせて接合連結させていく。次に桟木１２ｂより釘又はビスを外壁下地材Ｂ、構造用合板２１、柱２０ａへと打込みさせて、柱２０ａへ構造用合板２１及び外壁下地材Ｂを取付けする。
しかるのち、桟木１２ｂへセラミックス、木材などの外装材１９を取付けして外壁工事が終了する。なお、外装材１９は桟木１２ｂへ取付される故、外装材１９と外壁下地材Ｂとの間に空間が形成されるのである。
【００１５】
之に対して従来の外壁工事は図１０に示すように柱２０に構造用合板を合致させ、その上桟木２２を当て釘にて取付したのち、桟木２２へ外装材を固着させていたのである。
【００１６】
（実施例３）
本考案はさらに、実施例１の発泡スチロール製の瓦下地材及び実施例２の発泡スチロール製の外壁下地材を成型する際に炭の粉末を混入してマイナスイオンを発生させるようにした。
【００１７】
【考案の効果】
本考案の瓦下地材を使用すれば、屋根面へ瓦下地材を順次合决りしていくのみにて瓦下地材を取付けでき、然かも瓦下地材に取付けされている瓦引掛け桟へ瓦を載せて釘または針金で固着するのみで簡単且迅速に屋根工事が施工できる。
【００１８】
また、本考案は平滑な屋根面に成っているので、どの形状の瓦でも使用できる甚だ汎用性に優れたものである。
【００１９】
尚且、瓦下地材と瓦との間に瓦引掛け桟を介して空間が形成されているので、頗る通気性に富み瓦下地材などが不腐蝕性になる。
【００２０】
また、瓦下地材と瓦下地材とを合决りする决り部に雨水排出用の溝部が設けられているので、大雨、風雨の際、瓦と瓦との間から吹き込んでくる雨水の排出が頗る良好である。
【００２１】
本考案の外壁下地材は桟木を発泡スチロール製の外壁下地材の面より突出させて一体に設けてあるので、現場での外壁工事作業が極めて容易且迅速にでき、作業能率の向上に資するところ大である。
【００２２】
また、外壁下地材の合决りした决り部に溝部を設けたので、雨水を効率良く外部へ排出できる。
【００２３】
本考案は、瓦下地材及び外壁下地材の成型の際に発泡スチロールに炭の粉末を混入したから、瓦下地材及び外壁下地材からマイナスイオンを発生させることができる有益なものである。
【図面の簡単な説明】
【図１】従来の瓦下地材に瓦を取付していく状態を示す参考説明図である。
【図２】従来の別の瓦下地材に別の瓦を取付していく状態を示す参考説明図である。
【図３】従来の床下地材の斜視図である。
【図４】本考案の瓦下地材の斜視図である。
【図５】本考案の瓦下地材を後方から眺めた斜視図である。
【図６】本考案の瓦下地材を使用して瓦を取付する状態を示す参考説明図である。
【図７】ａ　本考案の瓦下地材の斜視図である。
ｂ　楕円形の溝部へ楕円形の桟木を挿嵌した参考説明図である。
ｃ　楕円形の桟木を溝部より突出している状態を示す参考説明図である。
【図８】外壁下地材を上部と下部とに別離した参考説明図である。
【図９】本考案の外壁下地材を使用して外壁工事する参考説明図である。
【図１０】従来の外壁工事の参考説明図である。
【符号の説明】
１　従来の瓦下地材
１ａ従来の別の瓦下地材
２　窪部
３　山部
３ａ山部
４　桟木
５　桟瓦
５ａ桟瓦部
６　湾曲瓦
６ａ湾曲瓦部
７　谷部
７ａ谷部
８　従来の床下地材
９　上部
９ａ上部
９ｂ上部
１０　下部
１０ａ下部
１０ｂ下部
１１　切欠溝
１１ａ切欠溝
１１ｂ切欠溝
１２　桟木
１２ａ桟木
１２ｂ桟木
１３　瓦
１４　縁部
１４ａ縁部
１５　溝部
１６　瓦引掛け桟
１７　瓦
１８　膨部
１９　外装材
２０　柱
２０ａ柱
２１　構造用合板
２２　桟木
Ａ　瓦下地材
Ｂ　外壁下地材
【図１】
0003098582.tif 000003
【図２】
0003098582.tif 000004
【図３】
0003098582.tif 000005
【図４】
0003098582.tif 000006
【図５】
0003098582.tif 000007
【図６】
0003098582.tif 000008
【図７】
0003098582.tif 000009
【図８】
0003098582.tif 000010
【図９】
0003098582.tif 000011
【図１０】
0003098582.tif 000012